(57)【要約】【課題】  本発明は、壁部端部に形成したリボン摺接部から露出するインクリボンをガイド可能なリボンガイド部を形成して、リボン摺接部に位置するインクリボンに弛みがあっても、プリンタ本体部に正常に装着可能なインクリボンカセットを提供すること。【解決手段】  本発明のインクリボンカセット１の第１、第２リボン収納部４、７は所定の隙間を有して互いに対向する壁部４ａ、７ａを有し、インクリボン２は、供給リール３から第１リボン収納部４の第１壁部４ａに形成した第１リボン摺接部４ｃを摺接すると共に、第２リボン収納部７の第１壁部７ａに形成した第２リボン摺接部７ｃを摺接して巻取りリール６に巻取りされ、第２リボン摺接部７ｃの外側には、プリンタ本体部（図示せず）に本発明のインクリボンカセット１を装着する時に第２リボン摺接部７ｃから露出するインクリボン２がプリンタ本体部に接触するのを防止可能なリボンガイド部１０が形成されている。【選択図】        図１
2007021940.tif 000002
【特許請求の範囲】
【請求項１】
未使用のインクリボンを巻回した供給リールを収納する第１リボン収納部と、使用済みのインクリボンを巻回した巻取りリールを収納する第２リボン収納部とを備え、前記第１、第２リボン収納部は、所定の隙間を有して互いに対向する壁部を有し、前記インクリボンは、
前記供給リールから前記第１リボン収納部の壁部に形成した第１リボン摺接部を摺接すると共に、前記第２リボン収納部の前記壁部に形成した第２リボン摺接部を摺接して前記巻取りリールに巻取り可能とされ、前記第２リボン摺接部の外側には、プリンタ本体部に装着する時に前記第２リボン摺接部から露出する前記インクリボンが前記プリンタ本体部に接触するのを防止可能なリボンガイド部が形成されていることを特徴とするインクリボンカセット。
【請求項２】
前記第２リボン摺接部を摺接して前記巻取りリールに巻取りされる前記インクリボンは、プリンタ本体部側に配設したガイドローラに案内されて前記巻取りリールに巻取り可能となっており、前記第２リボン収納部側には、前記ガイドローラの逃げ部が形成され、前記逃げ部に位置する前記ガイドローラにガイドされた前記インクリボンは、前記巻取りリールに巻取り可能になっていることを特徴とする請求項１記載のインクリボンカセット。
【請求項３】
前記所定の隙間を有して互いに対向する前記壁部に挟まれた間には、前記プリンタ本体部側のサーマルヘッドが挿通可能な所定の大きさのヘッド挿通口が形成され、前記第２リボン収納部側には、前記プリンタ本体部側の前記ガイドローラの前記逃げ部が形成され、前記プリンタ本体部に挿入して前記ガイドローラが前記逃げ部に位置すると、前記インクリボンが前記ガイドローラでガイドされることを特徴とする請求項２記載のインクリボンカセット。
【請求項４】
前記プリンタ本体部には、挿入する前記インクリボンが前記ガイドローラに引っ掛かるのを防止可能なすくい部を設け、このすくい部にすくわれた前記インクリボンが前記ガイドローラの外周面を軸方向にすべって、前記プリンタ本体部に装着可能になっていることを特徴とする請求項２、または３記載のインクリボンカセット。
【請求項５】
前記リボンガイド部は、前記巻取りリールに巻取りされる前記インクリボンの巻取り方向に傾斜状になった傾斜部が形成されている事を特徴とする請求項１乃至４の何れかに記載のインクリボンカセット。
【発明の詳細な説明】
【技術分野】
【０００１】
本発明はインクリボンカセットに係わり、特にリボンカセットの部品点数を削減してコストダウンが可能な熱転写プリンタに関する。
【背景技術】
【０００２】
従来のインクリボンカセット１４を、特許文献１の熱転写プリンタプリンタに記載されたもので説明すると、インクリボンカセット１４は、図３に示すように、未使用のインクリボン１１を巻回した供給リール１２を収納する第１リボン収納部１４ａと、使用済みのインクリボン１１を巻回する巻取りリール１３を収納する第２リボン収納部１４ｂとが形成されている。
そして、第１、第２リボン収納部１４ａ、１４ｂは、互いに対向して形成された連結壁１４ｃによって連結されている。また、第１リボン収納部１４ａの下部側には、供給リール１２に巻回したインクリボン１１を引き出し可能な引き出し口１４ｄが形成されている。
【０００３】
また、リボンカセット１４は、互いに対向する連結壁１４ｃに挟まれた部分で、第１リボン収納部１４ａと第２リボン収納部１４ｂとの間に、プリンタ本体部側のサーマルヘッド（図示せず）が位置してヘッドアップ／ダウン可能なヘッド挿通部１５が形成されている。
また、ヘッド挿通部１５と第２リボン収納部１４ｂとの間には、図示を省略した紙送り機構が位置可能な逃げ溝１６が所定深さで形成されている。
また、逃げ溝１６の図示上部には巻取り口１４ｅが形成され、この巻取り口１４ｆの後述する壁部１７近傍には、金属棒からなるガイドローラ１４ｇが回転自在に支持されている。
【０００４】
また、リボンカセット１４は、ヘッド挿通部１５と逃げ溝１６との間に、壁部１７が形成され、逃げ溝１６の底部側（図示上部側）には、引き出し口１４ｄから引き出されたインクリボン１１を引き込み可能な引き込み口１４ｅが形成されている。
また、逃げ溝１６には、図３に示すように、引き出し口１４ｄから引き出されて壁部１７の下リボン摺接部には、リボン摺接部１７ａが形成され、このリボン摺接部１７ａからは、インクリボン１１が露出しており、このインクリボン１１は、壁部１７のリボン摺接部１７ａを摺接して巻取りリール１３に巻取られるようになっている。
また、プリンタ本体部（図示せず）に形成したカセット装着部に、インクリボンカセット１４を紙面と直交する方向に挿入することで、従来のリボンカセット１４をプリンタ本体部に装着可能になっている。
【特許文献１】特開２００２−１４４６１６号公報
【特許文献２】特開２００２−１２０４４６号公報
【発明の開示】
【発明が解決しようとする課題】
【０００５】
しかし、従来のインクリボンカセット１４をプリンタ本体部のカセット装着部に挿入して装着時に、壁部１７のリボン摺接部１７ａから露出するインクリボン１１に弛み等があると、インクリボン１１がプリンタ本体部側に引っ掛かって、インクリボンカセット１４を正常に装着できなくなるおそれがあった。
本発明は前述したような課題を解決して、壁部端部に形成したリボン摺接部から露出するインクリボンをガイド可能なリボンガイド部を形成して、リボン摺接部に位置するインクリボンに弛みがあっても、プリンタ本体部に正常に装着可能なインクリボンカセットを提供することを目的とする。
【課題を解決するための手段】
【０００６】
前記課題を解決するための第１の手段として本発明のインクリボンカセットは、未使用のインクリボンを巻回した供給リールを収納する第１リボン収納部と、使用済みのインクリボンを巻回した巻取りリールを収納する第２リボン収納部とを備え、前記第１、第２リボン収納部は、所定の隙間を有して互いに対向する壁部を有し、前記インクリボンは、
前記供給リールから前記第１リボン収納部の壁部に形成した第１リボン摺接部を摺接すると共に、前記第２リボン収納部の前記壁部に形成した第２リボン摺接部を摺接して前記巻取りリールに巻取り可能とされ、前記第２リボン摺接部の外側には、プリンタ本体部に装着する時に前記第２リボン摺接部から露出する前記インクリボンが前記プリンタ本体部に接触するのを防止可能なリボンガイド部が形成されていることを特徴とする。
また、前記課題を解決するための第２の手段として、前記第２リボン摺接部を摺接して前記巻取りリールに巻取りされる前記インクリボンは、プリンタ本体部側に配設したガイドローラに案内されて前記巻取りリールに巻取り可能となっており、前記第２リボン収納部側には、前記ガイドローラの逃げ部が形成され、前記逃げ部に位置する前記ガイドローラにガイドされた前記インクリボンは、前記巻取りリールに巻取り可能になっていることを特徴とする。
【０００７】
また、前記課題を解決するための第３の手段として、前記所定の隙間を有して互いに対向する前記壁部に挟まれた間には、前記プリンタ本体部側のサーマルヘッドが挿通可能な所定の大きさのヘッド挿通口が形成され、前記第２リボン収納部側には、前記プリンタ本体部側の前記ガイドローラの前記逃げ部が形成され、前記プリンタ本体部に挿入して前記ガイドローラが前記逃げ部に位置すると、前記インクリボンが前記ガイドローラでガイドされることを特徴とする。
また、前記課題を解決するための第４の手段として、前記プリンタ本体部には、挿入する前記インクリボンが前記ガイドローラに引っ掛かるのを防止可能なすくい部を設け、このすくい部にすくわれた前記インクリボンが前記ガイドローラの外周面を軸方向にすべって、前記プリンタ本体部に装着可能になっていることを特徴とする。
また、前記課題を解決するための第５の手段として、前記リボンガイド部は、前記巻取りリールに巻取りされる前記インクリボンの巻取り方向に傾斜状になった傾斜部が形成されている事を特徴とする。
【発明の効果】
【０００８】
本発明に関するインクリボンカセットのインクリボンは、供給リールから第１リボン収納部の壁部に形成した第１リボン摺接部を摺接すると共に、第２リボン収納部の壁部に形成した第２リボン摺接部を摺接して巻取りリールに巻取り可能とされ、第２リボン摺接部の外側には、プリンタ本体部に装着する時に第２リボン摺接部から露出するインクリボンがプリンタ本体部に接触するのを防止可能なリボンガイド部が形成されているので、本発明のインリボンカセットをプリンタ本体部に挿入するときに、第２リボン摺接部側のインクリボンがプリンタ本体部に引っ掛かるのを防止でき、インクリボンカセットを正常にプリンタ本体部に装着できる。そのために、高性能な画像印刷を行うことができる。
また、第２リボン摺接部を摺接して巻取りリールに巻取りされるインクリボンは、プリンタ本体部側に配設したガイドローラに案内されて巻取りリールに巻取り可能となっており、第２リボン収納部側には、ガイドローラの逃げ部が形成され、逃げ部に位置するガイドローラにガイドされたインクリボンは、巻取りリールに巻取り可能になっているので、プリンタ本体部に装着したインクリボンカセットのインクリボンを印刷時に確実に巻取ることができる。
【０００９】
また、所定の隙間を有して互いに対向する壁部に挟まれた間には、プリンタ本体部側のサーマルヘッドが挿通可能な所定の大きさのヘッド挿通口が形成され、第２リボン収納部側には、プリンタ本体部側のガイドローラの逃げ部が形成され、プリンタ本体部に挿入してガイドローラが逃げ部に位置すると、インクリボンがガイドローラにガイドされるので、インクリボンを正常に巻取りリールに巻取りすることができる。
また、プリンタ本体部には、挿入するインクリボンがガイドローラに引っ掛かるのを防止可能なすくい部を設け、このすくい部にすくわれたインクリボンがガイドローラの外周面を軸方向にすべって、プリンタ本体部に装着可能になっているので、装着時にインクリボンにしわ等が発生することなく、確実にインクリボンカセットをプリンタ本体部に装着できる。
また、リボンガイド部は、巻取りリールに巻取りされるインクリボンの巻取り方向に傾斜状になった傾斜部が形成されているので、傾斜部に沿ってインクリボンが巻取りリールに巻取ることができ、スムーズにインクリボンの巻取りを行うことができる。
【００１０】
以下本発明のインクリボンカセット１を図面に基づいて説明する。図１は本発明のインクリボンカセット１の斜視図であり、図２は図１の２−２断面図である。
まず、本発明のインクリボンカセット１は、樹脂材料からなり、図１、図２に示すように、内部に未使用で幅寸法Ａのインクリボン２を巻回した供給リール３を収納する第１リボン収納部４が形成されている。
前記第１リボン収納部４は、略円弧状で縦長状に形成された第１壁部４ａと第２壁部４ｂとによって、内部が空洞状になっている。また、第１壁部４ａの下端部には、後述する巻取りリール６に巻取りされるインクリボン２が摺接可能な第１リボン摺接部４ｃが形成されている。
そして、第１リボン摺接部４ｃと第２壁部４ｂの下端部４ｄとの間には、供給リール３に巻回したインクリボンを引き出し可能なリボン引き出し口４ｅが形成されている。
また、図１に示す空洞状の第１リボン収納部４の手前側が、第１側板４ｆで遮蔽されている。
【００１１】
また、第１リボン収納部４と、所定の隙間のヘッド挿通口５を介して対向する側に巻取りリール６を内部に収納した第２リボン収納部７が対向形成されている。前記第２リボン収納部７は、略円弧状で縦長状に形成された第１壁部７ａと第２壁部７ｂとによって、内部が空洞状になっている。
また、第１壁部７ａの下端部には、巻取りリール６に巻取りされるインクリボン２が摺接可能なリボン摺接部７ｃが形成されている。そして、第１、第２リボン収納部４、７の互いに対向する第１壁部４ａ、７ａの間にヘッド挿通口５が形成されている。
また、図１に示す空洞状の第２リボン収納部７の手前側が、第２側板７ｄで遮蔽されている。
【００１２】
また、ヘッド挿通口５を介して互いに対向する第１、第２リボン収納部４、７は、図１に示す手前側の第１側板４ｆと第２側板７ｄとが、桟部８で連結され、と奥側が連結部９によって連結されて一体化されている。
また、第２リボン収納部７側の第１壁部７ａの下端部のリボン摺接部７ｃの外側には、所定寸法（搬送されるインクリボン２が走行可能な）の隙間７ｅを有してリボンガイド部１０が形成されている。
前記リボンガイド部１０によって、本発明のインクリボンカセット１をプリンタ本体部（図示せず）に装着する時に、第２リボン摺接部７ｃから露出するインクリボン２がプリンタ本体部に接触するのを防止可能になっている。
【００１３】
また、第２リボン摺接部７ｃを摺接して巻取りリール６に巻取りされるインクリボン２は、プリンタ本体部（図示せず）側に配設したガイドローラ１１に案内されて巻取りリール６に巻取り可能となっている。
また、第２リボン収納部７側には、ガイドローラ１１の逃げ部１２が形成され、この逃げ部１２に位置する回転自在のガイドローラ１１にガイドされたインクリボン２は、巻取りリール６に巻取り可能になっている。
【００１４】
また、本発明のインクリボンカセット１を挿入して装着するプリンタ本体部（図示せず）には、挿入するインクリボン２がガイドローラ１１の先端部に引っ掛かるのを防止可能なすくい部（図示せず）が設けられており、プリンタ本体部側のすくい部にすくわれた（ガイドローラ１１の先端部側から離れる方向に支持された）インクリボン２が、ガイドローラの先端部側を過ぎると、ガイドローラ１１の外周面を軸方向（紙面に対して垂直方向）に滑って、本発明のインクリボンカセット１がプリンタ本体部（ずしせず）に装着可能になっている。
そして、本発明のインクリボンカセット１がプリンタ本体部に装着すると、ガイドローラ１１が逃げ部１２に位置して、プリンタ本体部側のすくい部にすくわれたインクリボン２が、ガイドローラ１１にガイドされて巻取りリール６に巻取りされるようになっている。
また、リボンガイド部１０は、巻取りリール６に巻取りされるインクリボン２の巻取り方向に傾斜状になった傾斜部１０ａが形成されている。そのために、巻取りリール６に巻取りされるインクリボン２は、第２リボン摺接部７ｃから傾斜部１０ａを介してスムーズに巻取りリール６に巻取ることができる。
また、本発明では、図２に示す左側の第２リボン収納部７の第２リボン摺接部７ｃの外側にだけに形成したもので説明したが、右側の第１リボン収納部４の第１リボン摺接部４ｃの外側にのリボンガイド部１３を形成したものでも良い。
【図面の簡単な説明】
【００１５】
【図１】本発明のインクリボンカセット１の斜視図である。
【図２】図１の２−２断面図である。
【図３】従来のリボンカセットの要部断面図である。
【符号の説明】
【００１６】
１  本発明のインクリボンカセット
２  インクリボン
３  供給リール
４  第１リボン収納部
４ａ  第１壁部
４ｂ  第２壁部
４ｃ  第１リボン摺接部
４ｄ  リボンカバー部
４ｅ  リボン引き出し口
４ｆ  第１側板
５  ヘッド挿通口
６  巻取りリール
７  第２リボン収納部
７ａ  第１壁部
７ｂ  第２壁部
７ｃ  第２リボン摺接部
７ｄ  第２側板
７ｅ  隙間
８  桟部
９  連結部
１０  リボンガイド部
１０ａ  傾斜部
１１  ガイドローラ
１２  逃げ部
【図１】
2007021940.tif 000003
【図２】
2007021940.tif 000004
【図３】
2007021940.tif 000005